(57)【特許請求の範囲】
【請求項１】
建築用壁面板を、上下方向に一定間隔をおいて水平方向の係合凸状を多段状に多数設けた下地材の正面に取り付けるための取付金具であって、建築用壁面板の上下方向の幅が、下地材の多数段の係合凸部に跨る長さを有し、前記取付金具は、建築用壁面板の背面の上部に取付けられる上部取付金具と、建築用壁面板の背面の下部に取付けられる下部取付金具とによって構成され、上部取付金具は、建築用壁面板の背面上部に固定される取付板と、この取付板の上端部に、下地材の正面側に屈曲し、下地材の係合凸状の上面に係合する係合片とを備え、下部取付金具は、建築用壁面板の背面下部に固定される取付板を備え、この取付板に、下地材の正面側に屈曲し、下地材の係合凸状の上面に係合する係合片と、この係合片より低い位置で、係合片が下地材の係合凸条の上面に係合した状態で、下地材の係合凸条の下面に弾性的に押し当てられる弾性片を有する板ばねとを設けたことを特徴とする建築用壁面板の取付金具。
【請求項２】
前記上部取付金具の係合片と、下部取付金具の係合片がそれぞれ前記取付板の下端側へ傾斜する傾斜角をもって形成されている請求項１に記載の建築用壁面板の取付金具。
【請求項３】
前記上部取付金具の取付板に、建築用壁面板の背面上部に設けられた上部スリットに差し込まれる差込片を設け、前記下部取付金具の取付板に、建築用壁面板の背面下部に設けられた下部スリットに差し込まれる差込片を設けたことを特徴とする請求項１又は２記載の建築用壁面板の取付金具。
【請求項４】
前記下部取付金具の係合片と板ばねの弾性片との中間部分に、前記取付板の一部を正面側に切り起こして中間係合片が設けられ、該中間係合片を前記下地材の係合凸条の上面に係合させるようにした請求項１〜３のいずれかに記載の建築用壁面板の取付金具。
【請求項５】
前記板ばねの固定部が沿う取付板に、該固定部の幅より大きい幅を有し、当該取付板の下端に達する切欠き部が設けられた請求項１〜４のいずれかに記載の建築用壁面板の取付金具。
【請求項６】
前記下部取付金具の取付板が、中央部とその中央部を挟んだ両側部の３部分に区分され、前記中央部に前記板ばねが固定され、前記両側部にそれぞれ前記中間係合部が設けられ、前記両側部の下端背面側に前記差込片が屈曲形成された請求項３〜５のいずれかに記載の建築用壁面板の取付金具。
【請求項７】
前記下部取付金具の取付板が、中央部とその中央部を挟んだ両側部の３部分に区分され、前記中央部に前記中間係合片が設けられ、その中央部の下端背面側に前記差込片が屈曲形成され、前記両側部にそれぞれ前記の板ばねが固定された請求項３〜５のいずれかに記載の建築用壁面板の取付金具。
【請求項８】
建築用壁面板と、請求項３〜７のいずれかに記載の取付金具との組み合わせからなり、前記建築用壁面板の下地材に対向した取付面の上方部分と下方部分にそれぞれ当該建築用壁面板の長さ方向の上部スリット及び下部スリットが全長にわたり形成され、前記上部取付金具と下部取付金具の背面が当該建築用壁面板の前記取付面に当てられ、上部取付金具と下部取付金具の差込片が、建築用壁面板の下地材に対向した取付面の上方部分と下方部分に形成された上部スリット及び下部スリットに差し込まれ、前記上部取付金具と下部取付金具の取付板が前記建築用壁面板に固定されたことを特徴とする取付金具付き建築用壁面板。
【請求項９】
建物に固定された下地材に請求項８に記載の取付金具付き建築用壁面板を取り付けて構成され、前記下地材の前面に水平方向の係合凸条が上下方向に一定の間隔をもって形成され、前記上部取付金具の係合片が下地材の上段の係合凸条の上面に係合され、前記下部取付金具の係合片が下地材の下段の係合凸条の上面に係合され、前記下部取付金具の板ばねが前記下段の係合凸条の下面に弾性的に押し当てられることにより前記下部取付金具の係合片の係合部分に押圧力を付与し、その押圧力により前記上部取付金具と下部取付金具を介して前記建築用壁面板が前記下地材に係合固定された建築用壁面構造。
【請求項１０】
前記下地材の係合凸条の上面が逆傾斜面に形成された請求項９に記載の建築用壁面構造。
【発明の詳細な説明】
【技術分野】
【０００１】
この発明は、タイル、木材、人工木材、石材等の比較的大板サイズの建築用壁面板を、上下方向に一定間隔をおいて水平方向の係合凸条を多段状に多数設けた窯業系材料の下地材に対して簡単に取り付けることができる取付金具に関するものである。
【背景技術】
【０００２】
タイル等の建築用壁面板を使用して、建物の外壁や内壁を形成する場合、施工の簡便さや、耐熱・耐候性の観点から、上下方向に一定間隔をおいて水平方向の係合凸条を多段状に多数設けた窯業系材料の下地材を用いることが多い（特許文献１、２）。
【０００３】
前記の下地材を用いる場合、建築用壁面板の背面には、前記下地材の係合凸条に係合する係合凹部が設けられるとともに、ばね性のあるクリップが取り付けられる。そして、建築用壁面板は、その背面に形成した係合凹部と下地材の係合凸条とを係合させ、その係合部にクリップのばね力を作用させることにより、下地材に固定される。
【先行技術文献】
【特許文献】
【０００４】
【特許文献１】実開平５−６７７４１号公報
【特許文献２】特許第３１２８７０６号公報
【発明の概要】
【発明が解決しようとする課題】
【０００５】
前記の建築用壁面板の取付構造を採用するには、前述の通り、建築用壁面板の背面に係合凹部を設ける必要がある。
【０００６】
ところが、建築用壁面板の背面に形成する係合凹部は、逆傾斜面（いわゆる、アンダーカット）となるため、建築用壁面板の背面の構造が複雑となり、成形コストが高くつく要因となる。
【０００７】
また、背面に係合凹部を形成することによって、材料コストが高くつくという問題もある。
【０００８】
また、上下方向の幅が、下地材の多数段の係合凸部に跨る長さを有するような比較的大板サイズの建築用壁面板の場合には、施工も困難である。
【０００９】
そこで、この発明は、上下方向の幅が、下地材の多数段の係合凸部に跨る長さを有するような比較的大板サイズの建築用壁面板であっても、建築用壁面板の背面に、下地材の係合凸条に係合する係合凹部を形成することなく、下地材に簡単に固定することができる取付金具を提供することを課題とするものである。
【課題を解決するための手段】
【００１０】
前記の課題を解決するこの発明の取付金具は、建築用壁面板を、上下方向に一定間隔をおいて水平方向の係合凸状を多段状に多数設けた下地材の正面に取り付けるためのものであり、次のように構成される。
この発明の取付金具を使用して取付ける建築用壁面板は、上下方向の幅が、下地材の多数段の係合凸部に跨る長さを有する大板サイズのものである。
この発明の取付金具は、建築用壁面板の背面の上部に取付けられる上部取付金具と、建築用壁面板の背面の下部に取付けられる下部取付金具とによって構成される。上部取付金具は、建築用壁面板の背面上部に固定される取付板を有し、この取付板の上端部に、下地材の正面側に屈曲し、下地材の係合凸状の上面に係合する係合片を設けている。下部取付金具は、建築用壁面板の背面下部に固定される取付板を有し、この取付板に、下地材の正面側に屈曲し、下地材の係合凸状の上面に係合する係合片と、この係合片より低い位置で、係合片が下地材の係合凸条の上面に係合した状態で、下地材の係合凸条の下面に弾性的に押し当てられる弾性片を有する板ばねとを設けている。
【００１１】
前記上部取付金具の係合片と、下部取付金具の係合片は、それぞれ前記取付板の下端側へ傾斜する傾斜角をもって形成される。
【００１２】
前記上部取付金具の取付板には、建築用壁面板の背面上部に設けられた上部スリットに差し込まれる差込片を設けることができ、前記下部取付金具の取付板にも、建築用壁面板の背面下部に設けられた下部スリットに差し込まれる差込片を設けることができる。
【００１３】
前記下部取付金具の係合片と板ばねの弾性片との中間部分には、前記取付板の一部を正面側に切り起こして中間係合片を設け、該中間係合片を前記下地材の係合凸条の上面に係合させるようにしてもよい。
【００１４】
前記板ばねの固定部が沿う取付板には、該固定部の幅より大きい幅を有し、当該取付板の下端に達する切欠き部を設けることができる。
【００１５】
前記下部取付金具の取付板は、中央部とその中央部を挟んだ両側部の３部分に区分し、前記中央部に前記板ばねを固定し、前記両側部にそれぞれ前記中間係合部を設け、前記両側部の下端背面側に前記差込片を屈曲形成してもよい。
【００１６】
前記下部取付金具の取付板は、中央部とその中央部を挟んだ両側部の３部分に区分し、前記中央部に前記中間係合片を設け、その中央部の下端背面側に前記差込片を屈曲形成し、前記両側部にそれぞれ前記の板ばねを固定するようにしてもよい。
【００１７】
前記下部取付金具と上部取付金具が取付けられる前記建築用壁面板の背面には、それぞれ長さ方向の上部スリット及び下部スリットが全長にわたり形成されている。そして、前記上部取付金具と下部取付金具の取付板をそれぞれ、当該建築用壁面板の背面の取付面に当て、上部取付金具と下部取付金具の差込片をそれぞれ、建築用壁面板の取付面の上方部分と下方部分に形成された上部スリットと下部スリットに差し込むことによって、取付金具付きの建築用壁面板を形成する。
【００１８】
前記下地材の係合凸条の上面は、逆傾斜面に形成される。
【発明の効果】
【００１９】
以上のように、この発明の取付金具によって下地材に固定される建築用壁面板は、上下方向の幅が下地材の多数段の係合凸部に跨る長さを有し、下地材に次のように固定される。
まず、前記上部取付金具の係合片を下地材の上段の係合凸条の上面に係合すると共に、前記下部取付金具の係合片を下地材の下段の係合凸条の上面に係合する。この状態で、前記下部取付金具の板ばねを、前記下段の係合凸条の下面に弾性的に押し当てることにより、前記下部取付金具の係合片の係合部分に押圧力を付与すると、その押圧力により前記上部取付金具と下部取付金具を介して前記建築用壁面板が前記下地材に係合固定される。
【００２０】
したがって、この発明によると、建築用壁面板の背面に、上部取付金具と下部取付金具を取付け、上部取付金具と下部取付金具の係合片を、下地材の係合凸部に係合させた状態で、下部取付金具の板ばねを、下地材の下段の係合凸条の下面に弾性的に押し当てるだけで、上下方向の幅が下地材の多数段の係合凸部に跨る長さを有する大板サイズの建築用壁面板を下地材に簡単に固定することができるので、建築用壁面板の背面に、下地材の多数段の係合凸部に係合する係合凹部を形成する必要がなく、加工コストと施工コストを低減することができる。
【図面の簡単な説明】
【００２１】
【図１】は、建築用壁面板を実施形態１の取付金具を使用して下地材に取付けた状態を示す断面図である。
【図２】は、図１の建築用壁面板の背面に実施形態１の取付金具を取付けた状態を示す部分背面図である。
【図３】は、図１の部分拡大断面図である。
【図４】は、図１の建築用壁面板の背面に実施形態１の取付金具を取付けた状態を示す全体背面図である。
【図５】は、実施形態１の下部取付金具の背面図である。
【図６】は、図５のＶＩ−ＶＩ線の断面図である。
【図７】は、実施形態１の下部取付金具の背面側の斜視図である。
【図８】は、実施形態１の下部取付金具と上部取付金具を、取付ネジを使用して建築用壁面板に取付けた状態を示す部分拡大断面図である。
【図９】は、実施形態１の上部取付金具の背面図である。
【図１０】は、図９のＸ−Ｘ線の断面図である。
【図１１】は、実施形態１の上部取付金具の背面側の斜視図である。
【図１２】は、実施形態２の下部取付金具の背面図である。
【図１３】は、図１２のＸＩＩＩ−ＸＩＩＩ線の断面図である。
【図１４】は、実施形態２の下部取付金具の背面側の斜視図である。
【図１５】は、建築用壁面板を実施形態３の取付金具を使用して下地材に取付けた状態を示す断面図である。
【図１６】は、図１５の建築用壁面板の背面に実施形態３の取付金具を取付けた状態を示す全体背面図である。
【図１７】（ａ）は、図１５の上部取付金具の背面図、（ｂ）は（ａ）の断面図である。
【発明を実施するための形態】
【００２２】
以下、この発明の実施形態を添付図面に基づき具体的に説明する。
[実施形態１]
【００２３】
この発明に係る取付金具によって建物３３の下地材２６に取付ける建築用壁面板２４は、図１に示すように、上下方向の幅が、下地材３３の多数段の係合凸部２２に跨る長さ（図１の例は、１２段分の係合凸部２２に跨る長さ）を有する大板サイズのものである。
【００２４】
この発明に係る取付金具は、大板サイズの建築用壁面板２４を下地材３３に取付けるために、図１及びその部分拡大図の図２、図３に示すように、下部取付金具１１と上部取付金具４１とに分けられている。
【００２５】
下部取付金具１１と上部取付金具４１とは、図４にその全体を示すように、建築用壁面板２４の背面の中央部分と、左右両端部分にそれぞれ３個ずつ取付けられている。
【００２６】
即ち、下部取付金具１１が、図４に示すように、建築用壁面板２４の背面の下部の中央部分と、下部の左右両端部分に３個取付けられ、上部取付金具４１は、建築用壁面板２４の背面の上部の中央部分と、上部の左右両端部分に３個取付けられている。
【００２７】
下部取付金具１１は、図５から図７に示すように、鋼、ステンレス鋼等の金属製の取付板１２と板ばね１３との組み合わせからなる。
【００２８】
前記の取付板１２は、矩形に形成され、その上端部に背面（図１及び図３参照。下部取付金具１１の下地材２６に対する面）側へ屈曲された一定幅の係合片１４が設けられる。この係合片１４は、下地材２６（図１及び図３参照）の係合凸条２９の上面３２の傾斜角に一致するよう、一定の角度θ（５５°程度）で下方へ傾斜している（図６参照）。
【００２９】
前記の取付板１２には、その背面の左右両側辺に沿った部分と、中間部分の２個所に上下方向の４本の平行な補強リブ１５が幅方向に所定の間隔をおいて設けられる。これらの補強リブ１５は、正面側から背面側に突き出すようにプレス加工され、これらの補強リブ１５によって取付板１２の背面及び正面は、中間部１２ａ及びその中間部１２ａを挟んだ左右両側部１２ｂ、１２ｃの三部分に区分されている。中間部１２ａが最も広く、両側部１２ｂ、１２ｃはそれより狭い同じ幅に形成される。
【００３０】
前記中間部１２ａの下端部には、下端が開放された下向きコの字形の切欠き部１６が設けられる。この切欠き部１６は、その左右に存在する前記リブ１５に接近するように幅広く形成される。
【００３１】
前記の板ばね１３は、前記切欠き部１６の幅より若干狭く形成され、前記中間部１２ａの上下方向のほぼ中間から下端に達する固定部１３ａと、その下端部において背面側へＬ形に屈曲された弾性部１３ｂとからなる。弾性部１３ｂは、図６に示すように、波形の凹凸が付与される。
【００３２】
前記板ばね１３の固定部１３ａを中間部１２ａの背面に当て、弾性部１３ｂの凸部の位置を一定の高さに保持した状態で、板ばね１３はバーリング加工によって中間部１２ａに固定される。そのバーリング加工部を符号１７で示す。バーリング加工部１７の穴は、建築用壁面板２４の材質が木材や人工木材の場合に、同時に取付板１２を建築用壁面板２４（図８参照）にネジ止め固定するための取付穴１８となっている。
図１〜図４の実施形態の建築用壁面板２４は、タイル等のネジ止めできない材質であるから、取付板１２と建築用壁面板２４との固定には接着剤を使用し、取付穴１８は使用していない。
【００３３】
前記の板ばね１３は、その固定部１３ａのほぼ下半分が切欠き部１６の幅内に臨み、弾性部１３ｂの先頭に作用する押し込み方向の外力p（図６参照）に対し、取付板１２の厚さ分だけ背面側へ弾性変形する余裕を与えている。
【００３４】
前記左右の両側部１２ｂ、１２ｃにおいては、前記中間部１２ａの取付穴１８と同じ高さにおいて、取付穴１８がそれぞれ設けられ、各取付穴１８と各側部１２ｂ、１２ｃの下端のほぼ中間において、切り起こしによって中間係合片１９が設けられる。中間係合片１９は、取付板１２の背面側へ屈曲され、前記係合片１４の傾斜角θと同じ傾斜角をもって下方へ傾斜している。各中間係合片１９の取付板１２からの突き出し高さｈは、前記係合片１４の突き出し高さＨの半分程度である。
【００３５】
なお、３個所の取付穴１８は、図８に示すように、建築用壁面板２４に下部取付金具１１を取付ネジ２８や釘によって固定する場合に用いられる。建築用壁面板２４を接着により固定する場合は、取付穴１８は不要である。取付穴１８や接着によって固定される部分を「特許請求の範囲」においては「取付部」と総称している。
【００３６】
中間係合片１９を切り起こした後の四角穴２１は、その中間係合片１９の面積よりも大きく形成され、これによって取付金具１１の軽量化を図っている。切り起こしの容易さを考慮して、中間係合片１９の両端部は四角穴２１の両内側辺より多少内側に寄った位置に形成される。
【００３７】
前記両側部１２ｂ、１２ｃの下端部には、取付板１２の正面側へ直角に屈曲された差込片２２が設けられる。この差込片２２は、後述のように、建築用壁面板２４の下部スリット２７（図１〜図４参照）に差し込まれ、建築用壁面板２４に対する取付金具１１の位置決めを行う。
【００３８】
前記係合片１４の屈曲部下面と中間係合片１９の屈曲部下面の間隔Ｄ１（図６参照）は、上下に隣接する後述の係合凸条２９（図３参照）の上面先端間の間隔Ｆ１に等しく設定される。また、中間係合片１９の屈曲部下面と板ばね１３の弾性部１３ｂの凸部の間隔Ｄ２は、１つの係合凸条２９の上面３２の先端部と下面３１との間の間隔Ｆ２に等しく設定される。
【００３９】
このような関係に設定することにより、この下部取付金具１１は、図３に示したように、その係合片１４が下地材２６の係合凸条２９の上面３２に係合され、板ばね１３の弾性部１３ｂが前記係合凸条２９の下面３１に弾性的に押し当られる。その弾性部１３ｂのばね力により係合片１４と中間係合片１９がそれぞれ係合凸条２９に係合固定される。
【００４０】
次に、上部取付金具４１について説明する。
上部取付金具４１は、図９〜図１１に示すように、下部取付金具１１の板ばね１３を省略した構造であるから、下部取付金具１１と同じ構成部材については同一の符号を付し、詳細な説明は省略する。
【００４１】
上部取付金具４１の両側部１２ｂ、１２ｃの下端部には、取付板１２の背面側へ直角に屈曲された差込片２２が設けられる。この差込片２２は、建築用壁面板２４の背面上部の上部スリット４７に差し込まれ、建築用壁面板２４の上部に対する上部取付金具４１の位置決めが行なわれ、上部スリット４７に差込片２２を差し込んで、上部取付金具４１を建築用壁面板２４の背面上部に取付けた状態において、上部取付金具４１が建築用壁面板２４の上方に突出しないようになっている。
[実施形態２]
【００４２】
次に、図１２〜図１４は、下部取付金具１１の実施形態２を示している。
この実施形態２の下部取付金具１１は、前記実施形態１の場合と同様に、取付板１２と板ばね１３とによって構成される。また、前記取付板１２の上端部にその取付板１２の正面側へ屈曲された係合片１４、中間部に取付板１２の正面側へ屈曲された中間係合片１９、前記取付板１２の下端部に背面側へ屈曲された差込片２２、前記建築用壁面板２４への取付穴１８がそれぞれ設けられる。
【００４３】
前記板ばね１３が前記取付板１２の正面にバーリング加工によって固定された固定部１３ａと、その固定部１３ａの下端から背面側に屈曲された弾性部１３ｂとから構成される。さらに、前記係合片１４と中間係合片１９が下地材２６の上下２段の係合凸条２９の上面３２に係合され、前記板ばね１３の弾性部１３ｂが下段の係合凸条２９の下面３１に弾性的に押し当てられる点で、実施形態１の場合と基本的な構成において共通している。
【００４４】
また、取付板１２の背面及び正面が中間部１２ａとその両側の左右の両側部１２ｂ、１２ｃの三部分に区分されている点も共通する。
【００４５】
しかし、以下の構成において相違している。即ち、前記の区分は取付板１２の幅方向に間隔をおいて設けられた２本の縦リブ１５によって区分されており、４本の縦リブ１５によって区分される実施形態１の場合と相違する。
【００４６】
また、左右両側部１２ｂ、１２ｃにおいて、その下端と側辺に開放された逆Ｌ形の切欠き部１６が設けられ、また板ばね１３がこれら両側部１２ｂ、１２ｃの正面に配置固定される点、中間部１２ａに切り起こしによる中間係合片１９が設けられる点において相違している。
【００４７】
板ばね１３及び中間係合部１９の位置と数は実施形態１の場合と相違するが、その板ばね１３自体の構造やその取付構造、及び中間係合部１９の構造は同一であるので、その説明は省略する。また、建築用壁面板２４に下部取付金具１１と上部取付金具４１を固定し、下部取付金具１１と上部取付金具４１とによって、建築用壁面板２４を下地材２６に係合固定する点等においても同じ構成である。
【００４８】
[実施形態３]
次に、図１５〜図１７に示す実施形態３は、上部取付金具４１の構造が、実施形態１及び実施形態２と相違する。
上部取付金具４１は、実施形態１及び実施形態２においては、建築用壁面板２４の背面の長さ方向に３個並べて設置していたが、実施形態３では、この３個の上部取付金具４１を一本の長尺の金具に纏めている。
【００４９】
即ち、実施形態３の上部取付金具４１は、図１６及び図１７に示すように、建築用壁面板２４の左右方向の幅よりも少し短い長さの長尺の取付板４２からなり、この取付板４２の上端部に、その取付板４２の背面側へ屈曲された係合片４４が形成され、取付板４２の下端部に背面側へ屈曲された差込片５２が形成されている。
【００５０】
実施形態３の上部取付金具４１の差込片５２は、図１５及び図１６に示すように、建築用壁面板２４の背面上部の上部スリット４７に差し込まれる。
【００５１】
取付板４２には、中央部と左右両端より部分に、取付穴４８を設けているが、取付板４２は、取付穴４８を使用しないで、建築用壁面板２４に接着剤によって接着固定するようにしてもよい。
【００５２】
次に、建築用壁面板２４を、下部取付金具１１及び上部取付金具４１を使用して、下地材２６に固定する施工方法について説明する。
【００５３】
建築用壁面板２４は、木材、人工木材、タイル、石材等によって形成されたものである。
【００５４】
建築用壁面板２４は、下地材２６の正面に形成された係合凸状２９を多数段跨ぐように広幅に形成されており、上記実施形態１〜実施形態３では、１２段分の係合凸状２９を跨ぐように形成されている。
【００５５】
建築用壁面板２４は、下地材２６に対向した背面が取付面３０となっている。その取付面３０の下端から一定高さaの位置に長さ方向の下部スリット２７が一定の幅と深さをもって全長に渡り形成される。下部スリット２７の幅と深さは、前記下部取付金具１１の差込片２２を差し込むことができるサイズに形成される。
【００５６】
なお、下部スリット２７の高さａは取付面３０の下端から下部スリット２７の上端面までをいうものとする。
【００５７】
また、建築用壁面板２４の背面の取付面３０の上部には、上部取付金具１１の差込片２２を差し込み、上部取付金具１１の位置決めを行う上部スリット４７が設けられている。
【００５８】
このスリット４７は、建築用壁面板２４の背面の取付面３０の上端から一定高さｂの位置に一定の幅と深さをもって全長に渡り形成される。
【００５９】
前記の下地材２６は、通常は窯業系材料の板状の成形品であり、図１又は図１５に示したように、前面に水平方向の係合凸条２９が上下方向に一定の間隔をおいて多段状に設けられる。
【００６０】
上記実施形態１〜３の場合は、建築用壁面板２４が跨る１２段の係合凸状２９のうち、下端の隣接した２段の係合凸条２９が１個の下部取付金具１１に対応する関係となり、上端の隣接した２段の係合凸条２９が１個の上部取付金具４１に対応する関係となっている。
【００６１】
前記係合凸条２９の断面形状は、図１及び図３に示したように、下面３１は水平面であるが、上面３２は前記下部取付金具１１、上部取付金具４１の係合片１４、４４の傾斜角度θ（図６参照）に合致する逆傾斜面となっている。この下地材２６は、釘等によって建物の胴縁３３を通して柱に固定される。
【００６２】
前記の建築用壁面板２４の取付面３０に前述の下部取付金具１１、上部取付金具４１を沿わせるとともに、下部取付金具１１、上部取付金具４１の差込片２２を下部スリット２７、上部スリット４７に差し込む。下部取付金具１１、上部取付金具４１は、建築用壁面板２４に対し、接着剤によって固定してもよいし、材質が木材等の場合は、図８に示すように、取付穴１８に取付ネジ２８をねじ込む等の手段で固定してもよい。
【００６３】
前記下部取付金具１１、上部取付金具４１が取付けられた建築用壁面板２４を下地材２６に取付けるには、上部取付金具４１と下部取付金具１１の係合片１４を対応する上下２段の係合凸条２９のうちの上段の係合凸条２９の上面先端部に引っ掛け、その引っ掛けた部分を支点として建築用壁面板２４の下端を下地材２６の方向に押し込む。これによって中間係合片１９が下段の係合凸条２９の上面３２に係合し、同時に下部取付金具１１の板ばね１３の弾性部１３ｂが弾性変形しつつ当該係合凸条２９の下面３１に弾性的に押し当てられる。
【００６４】
このとき、中間係合片１９が対応する係合凸条２９の上面３２の先端部に干渉する可能性があるが、その突き出し高さｈを相対的に小さく形成することにより、干渉を防ぐようにしている。
【００６５】
また、弾性部１３ｂの先端部係合凸条２９の下面３１に引っ掛るなどして押し込み方向の外力Ｐ（図６、図１３参照）が作用することがあるが、前述のように、板ばね１３はその後方の切欠き部１６の内側に弾性変形して円滑に押し込まれる。
【００６６】
弾性部１３ｂが前記のように係合凸条２９の下面３１に弾性的に押し当てられることにより、係合片１４及び中間係合片１９がそれぞれ対応する上段及び下段の係合凸条２９の上面３２にばね力を付与し、そのばね力により建築用壁面板２４が下地材２６に係合固定される。同様の方法で順次建築用壁面板２４を下地材２６に係合固定させることにより、建築用壁面が構成される。
【符号の説明】
【００６７】
１１  下部取付金具
１２  取付板
１２ａ中間部
１２ｂ、１２ｃ  側部
１２ｃ  中間部
１３  板ばね
１３ａ  固定部
１３ｂ  弾性部
１４  係合片
１５  リブ
１６  切欠き部
１７  バーリング加工部
１８  取付穴
１９  中間係合片
２１  四角穴
２２  差込片
２４  建築用壁面板
２６  下地材
２７  下部スリット
２８  取付ネジ
２９  係合凸条
３０  取付面
３１  下面
３２  上面
３３  胴縁
４１  上部取付金具
４２  取付板
４７  上部スリット
４８  取付穴
５２  差込片
【図１】
0005329509.tif 000002
【図２】
0005329509.tif 000003
【図３】
0005329509.tif 000004
【図４】
0005329509.tif 000005
【図５】
0005329509.tif 000006
【図６】
0005329509.tif 000007
【図７】
0005329509.tif 000008
【図８】
0005329509.tif 000009
【図９】
0005329509.tif 000010
【図１０】
0005329509.tif 000011
【図１１】
0005329509.tif 000012
【図１２】
0005329509.tif 000013
【図１３】
0005329509.tif 000014
【図１４】
0005329509.tif 000015
【図１５】
0005329509.tif 000016
【図１６】
0005329509.tif 000017
【図１７】
0005329509.tif 000018